(57)【要約】【課題】液体が浸入し難い放熱構造を有する上カバー、および該上カバーを備えた電気接続箱を提供すること。【解決手段】電気接続箱の上カバー、および該上カバーを備えた電気接続箱では、上カバー１が、枠板部１２の側部の一部から張り出して内側が枠板部１２の内部に連通されるとともに下方が開放された膨出部１６と、天板部１１の一部から膨出部１６内に延出された天板延長部１７と、天板延長部１７の端縁から枠板部１２に沿い、連通部２２を介して膨出部１６内に延出した第１板部１８と、膨出部１６の端縁から天板部１１に沿って延出し、第１板部１８に屈曲して接続された第２板部１９と、を備えた。【選択図】図１
2007282402.tif 000002
【特許請求の範囲】
【請求項１】
天板部と、
前記天板部の外周から下方へ立設された枠板部と、
を備え、
電気部品を収容した電気接続箱の接続箱本体の上端部に取り付けられることにより、該上端部の開口を覆う上カバーであって、
前記枠板部の側部の一部から張り出して内側が該枠板部の内部に連通されるとともに下方が開放された膨出部と、
前記天板部の一部から前記膨出部内に延出された天板延長部と、
前記天板延長部の端縁から前記枠板部に沿い、連通部を介して前記膨出部に延出した第１板部と、
前記膨出部の端縁から前記天板部に沿って延出し、該第１板部に屈曲して接続された第２板部と、
を更に備えたことを特徴とする上カバー。
【請求項２】
前記膨出部の内部に、前記第１板部に平行に配置されて前記膨出部を区画するとともに前記接続箱本体の側板部に当接する第３板部を備え、該第３板部に、枠板部の内部に連通する連通孔を形成したことを特徴とする請求項１に記載した上カバー。
【請求項３】
請求項１または請求項２に記載した上カバーを備えた電気接続箱。
【発明の詳細な説明】
【技術分野】
【０００１】
本発明は、例えば自動車等といった車両に用いられる例えばリレー・ボックス、ヒューズ・ボックス、等といった電気接続箱（即ち、エレクトリック・ジャンクション・ブロック）に係り、特に、例えばリレー、ヒューズ、電子制御ユニット、等といった電気部品が収容された電気接続箱の接続箱本体に取り付け可能な上カバーに関する。
【背景技術】
【０００２】
自動車用の電気接続箱の一例として、複数の電気部品が収容された接続箱本体（ケース）と、防水および防塵のため電気部品を覆うように接続箱本体の上部に取り付けられる上カバーと、電気部品にそれぞれ電気的に接続する電線を覆うように該接続箱本体の下部に取り付けられる下カバーと、を備えた電気接続箱が知られている（例えば、特許文献１参照）。この技術は、上カバーに熱電冷却素子を組み込むことで、放熱性のよい電気接続箱を提供しようとしている。
【０００３】
自動車用の電気接続箱は、エンジンルーム内に配置されるのに好適な電気接続箱と、車室内に配置されるべき電気接続箱といった２種類に概ね大別できる。電気接続箱は車室内では基本的に雨ざらし等にはならないので、防水への配慮は甘くてもよい。そのため、車室内に配置される電気接続箱には、例えば上カバーだけでなく下カバーも備えない構造のものが多い。
【０００４】
しかし、例えば救急車等のように、車室内に配置される電気接続箱がお盆状の上カバーを安全のため取り付けるべきものであると、上カバーを接続箱本体に取り付けることによって、電気接続箱の開口部が失われるか若しくはかなり狭くなるので、接続箱本体内の電気部品の放熱への配慮が重要になってくる。
【０００５】
ところで、電気部品の側面に沿って立設された放熱用側壁部が、上カバー（アッパーカバー）の側壁との間に、上開口および下開口を介して接続箱本体の外部に連通する複数の通風孔を備えたものが考えられている（例えば、特許文献２参照）。
【０００６】
この電気接続箱は、内部に収容された電気部品が発生した熱が、上カバーにおいて放熱用側壁部から各通風孔の中を流れる空気に放出され、これら通風孔が、上開口および下カバーとの間の下開口に連通しているため、電気部品の発熱により空気流動が起こり、下開口から流入した空気を上開口から流出する自然対流を生じさせ、これにより、電気部品の熱を放出するようにしている。
【０００７】
しかし、この電気接続箱では、上カバーの上開口が上方に向けて開放されているため、収容された電気部品の放熱には優れるものの、上カバーの上から、輸血用の血液、液体薬品、等といった液体が滴下した際に、内部に直接浸入する虞があり、好ましくない。
【０００８】
【特許文献１】特開平７−２４１０１７号公報（図１）
【特許文献２】特開２００１−２９８２９０号公報（図３）
【発明の開示】
【発明が解決しようとする課題】
【０００９】
本発明は、上述した事情に鑑みてなされたものであり、その目的は、液体が浸入し難い放熱構造を有する上カバー、および該上カバーを備えた電気接続箱を提供することにある。
【課題を解決するための手段】
【００１０】
前述した目的を達成するため、本発明に係る電気接続箱の上カバーは、下記（１）および（２）を特徴としている。
（１）  天板部と、
前記天板部の外周から下方へ立設された枠板部と、
を備え、
電気部品を収容した電気接続箱の接続箱本体の上端部に取り付けられることにより、該上端部の開口を覆う上カバーであって、
前記枠板部の側部の一部から張り出して内側が該枠板部の内部に連通されるとともに下方が開放された膨出部と、
前記天板部の一部から前記膨出部内に延出された天板延長部と、
前記天板延長部の端縁から前記枠板部に沿い、連通部を介して前記膨出部に延出した第１板部と、
前記膨出部の端縁から前記天板部に沿って延出し、該第１板部に屈曲して接続された第２板部と、
を更に備えたこと。
（２）  上記（１）の構成の上カバーが、
前記膨出部の内部に、前記第１板部に平行に配置されて前記膨出部を区画するとともに前記接続箱本体の側板部に当接する第３板部を備え、該第３板部に、枠板部の内部に連通する連通孔を形成したこと。
【００１１】
上記（１）の構成の上カバーによれば、上カバーの上から、液体が滴下してきた際に、その液体は、第１板部または第２板部上に落下され、その後に、連通部を通って膨出部の内側を経由し、膨出部の開放された下方から電気接続箱の外部へ落下する。これにより、例えば、輸血用の血液、液体薬品、等といった液体が滴下してきたとしても。内部に浸入することがない。また、電気接続箱に収容されている電気部品が発熱した場合、その熱が枠板部の内部に連通されている膨出部の内部から連通部または膨出部の下方へと放出されることで放熱が図られ、その後に、電気部品が冷却された際に、連通部または膨出部の下方から膨出部の内部へ空気が導入されることで、ブリージング作用が行なわれる。加えて、膨出部と、天板延長部と、第１板部と、第２板部と、は、天板部と枠板部とから上カバーを成形する際の金型の抜き方向である、上方向および下方向の２方向でもって成形されるために、複雑な金型を用いる必要がないので、既存の金型と同等のもので良く、その結果、多額の設備投資をすることなく、製造費用を減少させることができる。
上記（２）の構成の上カバーによれば、例えば、液体が飛び散ったりして、上カバーの側部から液体が飛んできたような場合に、その液体が第１板部または第２板部に衝突してから、連通部を通って膨出部の内側から接続箱本体内に向けて更に浸入しようとしても、第１板部に平行に配置されて膨出部を区画していて接続箱本体の側板部に当接する第３板部に衝突することで、液体の接続箱本体内への浸入を阻止することができる。そして、電気部品のブリージング作用は、第３板部の連通孔を通じて行なうことができる。
【００１２】
また、前述した目的を達成するため、本発明に係る電気接続箱は、上記（１）または（２）の上カバーを備えたことを特徴とする。
【発明の効果】
【００１３】
本発明によれば、液体が浸入し難い放熱構造を有する上カバー、および該上カバーを備えた電気接続箱を提供することができる。
【００１４】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１５】
以下、本発明に係る好適な実施形態を図１〜図６を参照しながら詳細に説明する。
【００１６】
図１は本発明に係る上カバーの一実施形態を斜め上から視た斜視図、図２は図１の上カバーを斜め下から視た斜視図、図３は図２の上カバーの要部を拡大して示す斜視図、図４は図２の上カバーを斜め後方から視た要部の拡大斜視図、図５は図１の上カバーを電気接続箱の接続箱本体の上端部に取り付けた状態を示す斜視図、そして図６は図５の要部縦断面図である。
【００１７】
図１〜図４に示されるように、上カバー１は、天板部１１および該天板部１１の外周から下方へ立設された枠板部１２を有するカバー本体１０と、枠板部１２の一方側の外面上に形成された１つの係止突起１３と、同じく枠板部１２の他方側の外面上に形成された２つの係合部１４と、膨出部１６、天板延長部１７、２つの第１板部１８、２つの第２板部１９、第３板部２０からなるラビリンス流路形成部１５と、を備える。
【００１８】
膨出部１６は、枠板部１２の一方の側部の中央部からコ字形状にして張り出して形成されており、内側が枠板部１２の内部に連通されるとともに下方が開放されている。この膨出部１６は、張り出し端部に２つの開口部２１を並列に配列している。
【００１９】
天板延長部１７は、膨出部１６が形成された位置における天板部１１から膨出部１６における張り出し量のほぼ半分の位置まで延出形成されている。そのため、この天板延長部１７がある膨出部１６の半分は、天部が閉塞されている。
【００２０】
第１板部１８は、２つの開口部２１内において、天板延長部１７の端縁から枠板部１２に平行にして下方へ向けてそれぞれ立設されている。
【００２１】
第２板部１９は、２つの開口部２１内において、膨出部１６の端縁から天板部１１に平行に延出されて第１板部１８に屈曲してそれぞれ接続されている。
【００２２】
第１板部１８と第２板部１９とは、開口部２１内にＬ字形状に配置されているために、膨出部１６の張り出し端部に段部形状を形成するものとなり、それらの側部に、膨出部１６の内側に連通される横穴である連通部２２がそれぞれ形成される。
【００２３】
第３板部２０は、膨出部１６の内部を区画するために、第１板部１８に平行にして天板延長部１７から垂下されており、２つの開口部２１のそれぞれの中央部に、枠板部１２の内部に連通する切欠状の連通孔２３が形成されている。
【００２４】
この上カバー１は、図５に示される電気部品２５（リレー、ヒューズ、電子制御ユニット、等）を収容および保持する合成樹脂製の接続箱本体３０に取り付け可能な合成樹脂製の部材であって、接続箱本体３０および該接続箱本体３０に接続された合成樹脂製の下カバー４０とともに、電気接続箱１００を形成する。なお、接続箱本体３０または下カバー４０からは、不図示のワイヤハーネス等が引き出されて回路に電気的に接続される。
【００２５】
上カバー１の接続箱本体３０への取り付けに関して述べると、次のようになる。即ち、係止突起１３と接続箱本体３０の係合部３１とが係合するとともに、係合部１４と接続箱本体３０の不図示の係止突起とが係合するように、上カバー１の第３板部２０を接続箱本体３０の側板部３２の上端部（図６参照）３５に当接させて、接続箱本体３０に取り付けることにより、該上端部３５の開口を覆う。
【００２６】
図６に示すように、上カバー１は、天板延長部１７が天板部１１の板方向に膨出部１６の中央部まで延出され、第２板部１９が第１板部１８から天板部１１に平行に膨出部１６内に延出されているために、膨出部１６の上方向が、天板延長部１７と第２板部１９とによって閉塞される。また、第１板部１８が枠板部１２に平行に立設されているために、膨出部１６の横方向が、膨出部１６と第１板部１８とによって閉塞されている。また、第３板部２０が第１板部１８に平行にして天板延長部１７から垂下されており、連通孔２３が中央部に配置されているために、膨出部１６の内部は、連通孔２３の部分でのみ枠板部１２の内側に連通される。これにより、上カバー１は、天板部１１と枠板部１２とを成形する際の金型の抜き方向である、上方向および下方向の２方向でもって成形することができる。
【００２７】
上カバー１は、天板部１１の上方から、輸血用の血液、液体薬品、等といった液体が滴下してきた際に、枠板部１２から下方に、その液体が落下することで、接続箱本体３０の内側に液体が入ることがない。そして、ラビリンス流路形成部１５は、天板延長部１７の上方から、輸血用の血液、液体薬品、等といった液体が滴下してきた際に、その液体は、天板延長部１７または第１板部１８や第２板部１９に落下され、その液体は、第２板部１９に溜まってから、第１板部１８と第２板部１９との側部の連通部２２を通じて膨出部１６の内側に入り、膨出部１６の下方に自然落下することで、枠板部１２の内側に入ることがない。また、枠板部１２の側方から、輸血用の血液、液体薬品、等といった液体が飛んできた際に、その液体は、第１板部１８に衝突し、その後に第２板部１９上に落下されてから、連通部２２を通じて膨出部１６の内側に入り、膨出部１６の下方に自然落下することで、枠板部１２の内側に入ることがない。更に、万が一に、枠板部１２の側方から、輸血用の血液、液体薬品、等といった液体が飛んできた際に、その液体が、第１板部１８に衝突してから連通部２２を通って膨出部１６内を更に浸入した場合は、膨出部１６内に浸入した液体が第３板部２０に衝突し、膨出部１６の下方に自然落下することで、枠板部１２の内側に入ることがない。
【００２８】
また、上カバー１は、電気部品２５が発熱した場合、その熱が第３板部２０の連通孔２３を通じて膨出部１６の内部から、膨出部１６の下方、または連通部２２を通じて上方へと放出されることで放熱が図られる。そして、その後に、電気部品２５が冷却された際に、膨出部１６の下方、または連通部２２から膨出部１６の内部へ空気が導入されることで、ブリージング作用、所謂電気機器の呼吸動作が行なわれる。
【００２９】
この構成の上カバー１によれば、上カバー１の上方から、液体が滴下してきた際に、その液体は、第１板部１８または第２板部１９上に落下され、その後に、連通部２２を通って膨出部１６の内側を経由し、膨出部１６の開放された下方から電気接続箱１００の外部へ落下する。これにより、例えば、輸血用の血液、液体薬品、等といった液体が滴下してきたとしても。内部に浸入することがない。また、電気接続箱１００に収容されている電気部品２５が発熱した場合、その熱が枠板部１２の内部に連通されている膨出部１６の内部から連通部２２または膨出部１６の下方へと放出されることで放熱が図られ、その後に、電気部品２５が冷却された際に、連通部２２または膨出部１６の下方から膨出部１６の内部へ空気が導入されることで、ブリージング作用が行なわれる。加えて、膨出部１６と、天板延長部１７と、第１板部１８と、第２板部１９と、は、天板部１１と枠板部１２とから上カバー１を成形する際の金型の抜き方向である、上方向および下方向の２方向でもって成形されるために、複雑な金型を用いる必要がないので、既存の金型と同等のもので良く、それによって、多額の設備投資をすることなく、製造費用を減少させることができる。
【００３０】
また、上カバー１によれば、例えば、液体が飛び散ったりして、上カバー１の側部から液体が飛んできたような場合に、その液体が第１板部１８または第２板部１９に衝突してから、連通部２２を通って膨出部１６の内側から接続箱本体３０内に向けて更に浸入しようとしても、第１板部１８に平行に配置されて膨出部１６を区画していて接続箱本体３０の側板部３２に当接する第３板部２０に衝突することで、液体の接続箱本体３０内への浸入を阻止することができる。そして、電気部品２５のブリージング作用は、第３板部２０の連通孔２３を通じて行なうことができる。
【００３１】
そして、上カバー１を備えた電気接続箱１００によれば、上カバー１の上方から液体が滴下してきたり、上カバー１の側方から液体が飛んできたりしたとしても、いずれの液体も接続箱本体３０内に入り込むことがなく、また、収容されている電気部品２５の放熱を含めたブリージング作用を確実に行なうことができる。
【００３２】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００３３】
例えば、上述のラビリンス流路形成部に開口部を１つ或いは図示した２つ以上の複数個形成してもよい。
【００３４】
また、第２板部は、第１板部とＬ字形状に屈曲形成されるのが好ましいが、膨出部の外側に向けて下方に傾斜するようにしてもよい。そうすれば、第２板部に滴下した液体を連通部から自然落下させるのに加えて、膨出部の外側に自然落下させることができる。
【図面の簡単な説明】
【００３５】
【図１】本発明に係る上カバーの一実施形態を斜め上から視た斜視図である。
【図２】図１の上カバーを斜め下から視た斜視図である。
【図３】図２の上カバーの要部を拡大して示す斜視図である。
【図４】図２の上カバーを斜め後方から視た要部の拡大斜視図である。
【図５】図１の上カバーを電気接続箱の接続箱本体の上端部に取り付けた状態を示す斜視図である。
【図６】図５の要部縦断面図である。
【符号の説明】
【００３６】
１：上カバー
１１：天板部
１２：枠板部
１６：膨出部
１７：天板延長部
１８：第１板部
１９：第２板部
２０：第３板部
２２：連通部
２３：連通孔
２５：電気部品
３０：接続箱本体
３５：上端部
１００：電気接続箱
【図１】
2007282402.tif 000003
【図２】
2007282402.tif 000004
【図３】
2007282402.tif 000005
【図４】
2007282402.tif 000006
【図５】
2007282402.tif 000007
【図６】
2007282402.tif 000008